(57)【要約】【課題】紐止め具本体に筒状のキャップを係止して紐を取り付ける紐止め具において、紐の端部の係止にカシメ付け及び結び目を必要とせず、たとえ柔軟で断面積の小さい強靭な紐であっても、その端部を確実かつ容易に係止することができるようにする。【解決手段】紐止め具本体１を開閉可能なフック２と一対のアーム５，８とで構成し、一対のアーム５，８に、キャップ２０を装着することで紐３０をアーム５，８間で両方向から挟持して固定する挟持部１９を設けると共に、キャップ２０により押圧された紐３０を支持する支持部１５，１６とを設けたことを特徴とする。【選択図】図５
2008000335.tif 000002
【特許請求の範囲】
【請求項１】
紐止め具本体に筒状のキャップを係止して紐を取り付ける紐止め具において、前記紐止め具本体を開閉可能なフックと一対のアームとで構成し、前記一対のアームに、前記キャップを装着することで前記紐を前記アーム間で両方向から挟持して固定する挟持部を設けると共に、前記キャップにより押圧された前記紐を支持する支持部とを設けたことを特徴とする紐止め具。
【請求項２】
紐止め具本体に筒状のキャップを係止して紐を取り付ける紐止め具において、前記紐止め具本体にフラップにより開閉可能なフックを設け、このフックの基部に第一のアームを延設し、この第一のアームの先端側に連結部を介して第二のアームの先端側を取り付けて前記第一のアームと前記第二のアームの基部を開閉可能に構成し、前記第一のアームと前記第二のアームの基部との間に前記紐の端部を挟み込む挟持部を設け、この挟持部よりも前記各アームの先端側であって前記各アーム間に、折り返された前記紐を裏表に掛け渡す支持部を設け、前記キャップには前記各アームを受容する内周面に前記挟持部の開きを防止する規制部と、前記支持部との間で前記紐を挟み付ける押圧部とを設けたことを特徴とする紐止め具。
【請求項３】
前記支持部は、前記第一のアームと前記第二のアームとに設けた互いに重なり合う舌片であることを特徴とする請求項１及び請求項２のいずれか一つに記載の紐止め具。
【請求項４】
前記連結部には、前記紐の端部と前記支持部を経たループ側とが重なり合って載置され前記キャップによって締め付けられることを特徴とする請求項２及び請求項３のいずれか一つに記載の紐止め具。
【請求項５】
前記キャップは、前記フックと前記フラップの基部に設けた鍔部により前記第一のアームと前記第二のアームに対する挿入を規制されると共に、前記第一のアームと前記第二のアームの先端部に設けた爪により抜け止めされることを特徴とする請求項２に記載の紐止め具。
【発明の詳細な説明】
【技術分野】
【０００１】
この発明は、紐止め具本体に筒状のキャップを係止して紐を取り付ける紐止め具に関するものである。
【背景技術】
【０００２】
従来から、紐止め具本体に筒状のキャップを係止して紐を取り付ける紐止め具が知られている。この紐止め具は、例えば、ストラップ主体とリング紐とをカシメ付けすることなく結合するものである（特許文献１参照）。また、紐に対する止着性能を向上できるものも提案されている（特許文献２参照）。
前者にあっては、従来この種のストラップ（下げ紐）において用いられていたカシメ付けをすることなく、リング紐とストラップ主体を結合できる。したがって、例えば、鉛などの人体に有害な金属を添加して加工性を良くしたカシメ付け用の金属部品を用いる必要がないので安全性が高い。
後者にあっては、紐止め具の筒状のソケットの内部に角度を持たせて配置した板状の挟持部にＶ字型の切欠き部を形成し、このソケットに挿入されるプラグに押圧部を突設し、ソケットに通した紐の端部をこの押圧部によってソケット内部のＶ字型の切欠き部に押し付け、紐を切欠き部に食い込ませて係止するため、紐の止着性能がよい。
【特許文献１】特開２００２−３２５６１８号公報
【特許文献２】特開２００５−２１１３０２号公報
【発明の開示】
【発明が解決しようとする課題】
【０００３】
しかしながら、前者にあっては、紐の端部を係止するときに端部を結んで瘤を形成しなくてはならない。しかし、紐に容易に解けず係止に適切な大きさの瘤を作るのは困難で手間が掛かるという課題がある。また、この紐止め具を継続して使用していると、結び目が徐々に緩み瘤が解けて紐止め具との係止が外れ、紐が脱落する虞があるという課題がある。
後者にあっては、ある程度断面積の大きい紐であれば、挟持部のＶ字型の切欠き部が紐に食い込んで十分な止着性能を得られるが、例えば、携行品をストラップに固定するために用いられる柔軟で断面積の小さい強靭な紐に対しては、Ｖ字型の切欠き部の十分な食い込みが得られないため、紐を確実に係止することが困難であるという課題がある。
【０００４】
この発明は上記の事情を考慮してなされたもので、紐の端部の係止にカシメ付け及び結び目を必要とせず、たとえ柔軟で断面積の小さい強靭な紐であっても、その端部を確実かつ容易に係止することのできる紐止め具を提供するものである。
【課題を解決するための手段】
【０００５】
上記の課題を解決するために請求項１に記載した発明は、紐止め具本体に筒状のキャップを係止して紐を取り付ける紐止め具において、前記紐止め具本体を開閉可能なフックと一対のアームとで構成し、前記一対のアームに、前記キャップを装着することで前記紐を前記アーム間で両方向から挟持して固定する挟持部を設けると共に、前記キャップにより押圧された前記紐を支持する支持部とを設けたことを特徴とする紐止め具とした。
【０００６】
上記の構成により、開閉可能な一対のアームが開いた状態で各アームの間の挟持部に紐の端部側を配置し、各アームを閉じ合わせることで各アーム間に設けられた挟持部も閉じ合わされ、紐を両方向から挟み込んで固定することができる。
【０００７】
さらに、筒状のキャップに紐のループ側を通して各アームをキャップに挿入し、紐止め具本体にキャップを係止することにより、各アームの基部の開きがキャップの内周面によって規制され、挟持部に紐を挟み込んで固定した状態が維持される。同時にキャップの内周面によって押圧された紐がアームの支持部によって支持されるので、紐をキャップの内周面と支持部との間で押圧して挟み付けた状態で固定することができる。
【０００８】
ここで、紐止め具に固定された紐に抜き取り方向の力が働いた場合、紐が挟持部で両方向から挟み込まれ、キャップの内周面と各アーム間の支持部との間で押圧され挟み付けられているので、紐の抜き取りの力に抗する摩擦力が挟持部、キャップ内周面および支持部表面に発生する。
また、キャップを紐止め具本体に係止してもフックの開閉動作は規制されない。したがって、携行品を携帯するときには、紐止め具本体に係止した紐を携行品の一部に通して固定し、紐止め具本体のフックを開いて、例えば、ストラップや衣服の一部にフックを通してから再び閉じる。これにより、携行品が紐止め具を介してストラップや衣服の一部に取り付けられる。また、逆の手順によれば紐止め具を介して携行品をストラップや衣服の一部から取り外すことができる。
【０００９】
請求項２に記載した発明は、紐止め具本体に筒状のキャップを係止して紐を取り付ける紐止め具において、前記紐止め具本体にフラップにより開閉可能なフックを設け、このフックの基部に第一のアームを延設し、この第一のアームの先端側に連結部を介して第二のアームの先端側を取り付けて前記第一のアームと前記第二のアームの基部を開閉可能に構成し、前記第一のアームと前記第二のアームの基部との間に前記紐の端部を挟み込む挟持部を設け、この挟持部よりも前記各アームの先端側であって前記各アーム間に、折り返された前記紐を裏表に掛け渡す支持部を設け、前記キャップには前記各アームを受容する内周面に前記挟持部の開きを防止する規制部と、前記支持部との間で前記紐を挟み付ける押圧部とを設けたことを特徴とする紐止め具とした。
【００１０】
上記の構成により、紐の端部を紐止め具に固定するときは、まず、紐の端部を紐止め具本体の裏側から表側に、支持部と連結部の間の空間に挿通させた状態で紐の端部を保持しておく。次に、紐のループ側を各アーム間の開いた挟持部を通して支持部の裏側から表側に巻き付けるように掛け渡して折り返す。さらに、紐のループ側を引っ張って、保持しておいた紐の端部が各アームの間の連結部に適当な長さで載置されるように調整する。
【００１１】
次いで、先端側が連結部により連結された第一のアームと第二のアームの基部を、連結部および各アームの弾性力に抗して閉じ合わせ、さらにフラップをその弾性力に抗してフックの内側に押し込んでフックの先端部に係止させる。各アームが閉じ合わされることにより、各アームの基部の間に設けられた挟持部も閉じ合わされて、挟持部を通して支持部の裏表に掛け渡された紐を両方向から挟み込んで固定する。
また、各アームが閉じあわされると、連結部および各アームの弾性力によって各アームが開こうするが、第二のアームの基部に設けられたフラップの先端部が第一のアームの基部に設けられたフックの先端部に係止されているので、各アームの開きが規制される。
【００１２】
次に、挟持部によって両方向から挟み込まれた紐のループ側を筒状のキャップに通して各アームをキャップに挿入し、紐止め具本体にキャップを係止する。
キャップの紐止め具本体への係止により、フックとフラップによる規制に加えてキャップの内周面の規制部によって各アームの基部の開きが規制され、挟持部が閉じて紐を両方向から挟み込んで固定した状態が維持される。同時に、支持部の裏表に巻き掛けられた紐がキャップの内周面の押圧部と各アームの支持部の裏側および表側との間で押圧されて挟み付けられた状態で固定される。
【００１３】
ここで、紐止め具に固定された紐に抜き取り方向の力が働いた場合、紐が挟持部で両方向から挟み込まれ、キャップの押圧部と支持部の裏側及び表側との間で押圧されて挟み付けられ、さらに支持部の周囲に巻き締められるので、紐の抜き取りの力に抗する摩擦力が挟持部、キャップ内周面、及び支持部周囲に発生する。
【００１４】
また、フラップをフックの内側にその弾性力に抗して押し込むことで、両者の先端部の係止が外れフックを開くことができる。また、キャップを紐止め具本体に係止してもフックの開閉動作は規制されない。したがって、携行品を携帯するときには、紐止め具本体に係止した紐を携行品の一部に通して固定し、紐止め具のフックを開いて、例えば、ストラップや衣服の一部にフックを通してから再び閉じる。これにより、携行品が紐止め具を介してストラップや衣服の一部に取り付けられる。また、逆の手順によれば紐止め具を介して携行品をストラップや衣服の一部から取り外すことができる。
【００１５】
請求項３に記載した発明は、前記支持部は、前記第一のアームと前記第二のアームとに設けた互いに重なり合う舌片であることを特徴とする請求項１及び請求項２のいずれか一つに記載の紐止め具とした。
【００１６】
上記の構成にすることで、左右に開いて成型された各アームの基部側に突設された支持部の先端部の間に形成される隙間をなくすか、または極めて小さくすることができる。
また、各アームの基部側を閉じ合わせて挟持部を閉じ合わせたときに、２枚の舌片からなる支持部が互いに重なり合うことで、両者が互いに先端部の隙間をカバーし合って隙間が完全になくなる。
また、紐に引き抜き方向の力が掛かったときには各支持部に掛かる荷重がバランスよく分散される。
【００１７】
請求項４に記載した発明は、前記連結部には、前記紐の端部と前記支持部を経たループ側とが重なり合って載置され前記キャップによって締め付けられることを特徴とする請求項２及び請求項３のいずれか一つに記載の紐止め具とした。
【００１８】
上記の構成にすることで、キャップを各アームに装着するときに、キャップの内周面の押圧部と支持部の裏側及び表側との間で紐が押圧され締め付けられる同時に、キャップの内周面の押圧部と連結部との間でも、紐の端部と紐のループ側とが重なり合った状態で押圧され締め付けられる。
【００１９】
したがって、紐に抜き取り方向の力が働いたときに、この力に抗して働く請求項２又は請求項３の紐止め具における摩擦力に加え、紐とキャップの内周面の押圧部及び連結部との間に紐の抜き取り方向の力に抗する摩擦力が発生する。
【００２０】
請求項５に記載した発明は、前記キャップは、前記フックと前記フラップの基部に設けた鍔部により前記第一のアームと前記第二のアームに対する挿入を規制されると共に、前記第一のアームと前記第二のアームの先端部に設けた爪により抜け止めされることを特徴とする請求項２に記載の紐止め具とした。
【００２１】
上記の構成にすることで、キャップを各アームに装着して係止するときに、アームの先端部に設けられた爪をアームの弾性力に抗してキャップの内周面の規制部の内側に押し込んだ状態でキャップに挿入される。そして、キャップが鍔部に当接すると同時に各アームの先端部がキャップの小開口部から突出し、各アームがそれらの弾性力によって外側に開いて先端部に設けた爪がキャップに噛み合わされて、キャップが紐止め具本体に係止される。
【発明の効果】
【００２２】
請求項１に記載した発明によれば、紐止め具に固定された紐に抜き取り方向の力が働いた場合でも、その力に抗する摩擦力が紐と挟持部、キャップ内周面および支持部との間に発生し、紐の抜き取りの力に抗する摩擦力を十分に得ることができるので、紐が抜け落ちることがない。
また、紐の端部を紐止め具に固定するときに、紐を挟持部に挟み込んでキャップを装着するだけでよく、カシメ付けを必要とせず、結び目を作る必要もない。
したがって、たとえ柔軟で断面積の小さい強靭な紐であっても、紐止め具本体とキャップによって確実かつ容易に固定することができる。
また、フックを常に開閉可能な状態にしておくことができるので、携行品を携帯するときは、紐止め具に固定した紐を携行品の一部に通して固定し、紐止め具を介して携行品を、例えば、ストラップや衣服の一部に着脱自在に取り付けて持ち運ぶことができる。
【００２３】
請求項２に記載した発明によれば、紐止め具に固定された紐に抜き取り方向の力が働いた場合でも、その力に抗する摩擦力が紐と挟持部、押圧部及び支持部の周囲との間に発生し、紐の抜き取りの力に抗する摩擦力を十分に得ることができるので、紐が抜け落ちることがない。
また、紐の端部を紐止め具に固定するときに、紐を挟持部の間に通して支持部に掛け渡し、フラップをフックに係止すればワンアクションで紐を挟み込み、かつその状態を維持しておくことができる。
次いで、紐止め具本体にキャップを装着するだけで紐の端部が締め付けられて紐止め具に固定されるので、カシメ付けを必要とせず、結び目を作る必要もない。また、キャップを取り付けるときに、挟持部によって紐が両方向から挟み込まれた状態が維持されているため、紐が散けることを防止できる。
【００２４】
したがって、たとえ柔軟で断面積の小さい強靭な紐であっても、紐止め具本体とキャップによって確実かつ容易に固定することができる。
また、フックの先端にその弾性力によって係止されたフラップは常に開閉可能なので、携行品を携帯するときに、携行品を紐止め具を介して、例えば、ストラップや衣服の一部に着脱自在に取り付けて持ち運ぶことができる。
【００２５】
請求項３に記載した発明によれば、請求項１又は２に記載した発明の効果に加え、紐を挟持部の間に通して挟み込むときに、紐が支持部の先端部の隙間に入って挟持部から外れることが防止される。よって、紐の端部をより容易かつ確実に紐止め具に係止することができる。
【００２６】
また、各アームに突設した２枚の舌片状の支持部が互いに両方向から重なり合うことにより、支持部をどちらか一方のアームに片持ち状に突設した場合と比較して、よりバランスよく荷重を受けることができるので、支持部の強度を保つ上で有利である。また、紐の引き抜き方向の力による荷重によって支持部が多少変形したとしても、支持部の先端部に隙間ができることがないので、紐が支持部から脱落することを防止できる。よって、この構成によれば、紐の端部をより確実に紐止め具に固定することができる。
【００２７】
請求項４に記載した発明によれば、請求項２又は３に記載した発明の効果に加え、紐止め具に固定された紐に抜き取り方向の力が働いたときに、キャップの押圧部と連結部との間にも引き抜きの力に抗する摩擦力が生じるので、紐の端部をより確実に紐止め具に固定することができる。
また、キャップの装着時に、紐の端部を紐のループ側で連結部に押さえ付けておくことができ、紐の端部が散けることを防止できるので、キャップの装着が容易になる。したがって、紐の端部をより容易に紐止め具に係止することができる。
【００２８】
請求項５に記載した発明によれば、請求項２に記載した発明の効果に加え、キャップの装着時にキャップが鍔部と爪との間で紐止め具本体に固定されて抜け止めされるので、キャップの装着を容易かつ確実に行うことができる。したがって、紐止め具に紐の端部を容易かつ確実に固定することができる。
また、鍔部および爪によってキャップの脱落が防止されるので、各アームの基部の開きが防止され、挟持部での紐の挟み込みが常に維持される。また、キャップの脱落により各押圧部の押圧力が除去されて、紐の引き抜き方向の力に抗する摩擦力が紐に働かなくなることも防止できる。よって、紐の端部をより確実に紐止め具に固定することができる。
【発明を実施するための最良の形態】
【００２９】
次に、この発明の実施の形態を図面に基づいて説明する。
図１（ａ），（ｂ）に示すように、この紐止め具は紐止め具本体１に筒状のキャップ２０を係止して紐３０の端部を固定するものである。また、フック２を、例えば、首から提げるストラップや衣服の一部に取り付けて、紐３０に、例えば携帯電話などの携行品を固定し、紐止め具を介して携行品を身につけて持ち運ぶために用いられるものである。紐止め具本体１及びキャップ２０は弾性を持つ材料であり、例えば、合成樹脂材料によって成型されている。また、紐３０は柔軟で断面積の小さい強靭な紐で、例えば、ナイロンの繊維を編んだ直径略０．８ｍｍのものである。
【００３０】
図２（ａ），（ｂ）に示すように、紐止め具本体１には略Ｊ字型のフック２が設けられている。フック２の基部３の周囲には、平面視略四角形の鍔状に突設された鍔部４が設けられている。フック２の基部３には鍔部４を挟んで第一のアーム５が延設され、その先端６側に連結部７が第一のアーム５に対して略垂直方向に連設され、この連結部７を介して第二のアーム８が第一のアーム５と左右対称に連結されている。
【００３１】
第一のアーム５と第二のアーム８は連結部７によって先端６，９側の間隔ｄ１が基部３，１１側の間隔ｄ２よりも狭い略ハ字状に連結され、先端６，９側と基部３，１１側とが開放されている。また、各アーム５，８の連結部７より先端６，９側は互いに略平行になっている。また、各アーム５，８の先端６，９には爪１０，１０が外向きに突設されている。
【００３２】
第二のアーム８の基部１１には、第一のアーム５の基部３と同様の平面視略四角形の鍔部１２が突設されている。この鍔部１２を挟んで第二のアーム８の反対側には板状のフラップ１３が第二のアーム８よりも外側に向くように角度を持って延設されている。すなわち、紐止め具本体１の成型時にはフラップ１３がフック２の外側に開いた状態で成型されている。また、フック２の先端部２ａの内側には段部１４がフラップ１３の先端部１３ａの形状に合わせて形成されている。
【００３３】
各アーム５，８の基部３，１１の内側で各鍔部４，１２よりもやや先端６，９側には、舌片状の支持部１５，１６が各アーム５，８に対して略垂直方向に一枚ずつ突設されている。各鍔部４，１２と各支持部１５，１６との間隔ｄ３，ｄ３は紐３０の径と同じか、やや小さくなっている。
【００３４】
また、第一のアーム５に突設された支持部１５と、第二のアーム８に突設された支持部１６は、互いにすれ違うように、各アーム５，８の厚さ方向にずれた状態で突設されている。すなわち、第一のアーム５の支持部１５が裏１７側寄りに、第二のアーム８の支持部１６が表１８側寄りに突設されている。したがって、紐止め具本体１の成型時には、各支持部１５，１６の先端１５ａ，１６ａは互いに僅かに重なり合うか、または僅かに隙間があく程度に成型されている。
【００３５】
この各支持部１５，１６と各鍔部４，１２及び各アーム５，８の基部３，１１の内側によって挟持部１９が構成されている。紐止め具本体１の成型時には各アーム５，８の基部３，１１側が開いた状態で成型されているので、各アーム５，８の基部３，１１の内側に設けられた挟持部１９も開いた状態となっている。
【００３６】
図２（ｂ）に示すように、各アーム５，８は裏１７側と表１８側が先端６，９に近づくにつれて近接し、その厚さが徐々に薄くなるテーパ状に形成されている。また、連結部７は、各アーム５，８の裏１７側寄りに設けられている。
【００３７】
次に、図３（ａ）に示すように、各アーム５，８の基部３，１１の鍔部４，１２を連結部７と各アーム５，８の弾性力に抗して閉じ合わせると同時に、フラップ１３をその弾性力に抗してフック２の内側に押し込んで、フラップ１３の先端部１３ａをフック２の先端部２ａに形成した段部１４に係止させる。このとき各アーム５，８の基部３，１１と鍔部４，１２も閉じ合わされ挟持部１９が閉じた状態となる。このとき、挟持部１９は紐３０の二本分の径方向の断面積と同じかやや小さくなっている。
【００３８】
また、正面視で略ハ字状に成型されていた各アーム５，８の基部３，１１を各アーム５，８の弾性力に抗して閉じ合わせたことにより、各アーム５，８の連結部７より基部３，１１側が内側に弾性変形して、各アーム５，８が正面視で略平行となる。この略平行となった各アーム５，８を、筒状のキャップ２０に挿入する。
【００３９】
図３（ａ），（ｂ）に示すように、キャップ２０は各アーム５，８の挿入に適した先細り状の角筒で、その内周面に規制部２１，２１及び押圧部２２，２２を備えている。キャップ２０の先細り形状は各アーム５，８の裏１７側及び表１８側に形成されたテーパ形状に対応している。キャップ２０には各アーム５，８の基部３，１１側の寸法に対応した大開口部２３と先端６，９側の寸法に対応した小開口部２４が形成されている。
【００４０】
キャップ２０が紐止め具本体１に装着されると、キャップ２０の内周面に設けられた規制部２１，２１が弾性力に抗して閉じあわされた各アーム５，８の開きを防止する。そして、図３（ｂ）に示すように、キャップ２０装着後の各押圧部２２，２２と支持部１５，１６との間隔ｄ４，ｄ４は紐３０の径と同じか、やや小さくなっている。同様に、押圧部２２と連結部７の表１８側との間隔ｄ５は紐３０の径の２倍か、それよりもやや小さくなっている。
【００４１】
各アーム５，８をキャップ２０に挿入するときは、各アーム５，８の先端６，９の外側に突出させた爪１０，１０を、各アーム５，８の持つ弾性に抗してキャップ２０の大開口部２３から規制部２１，２１の間に押し込むように挿入する。これにより、爪１０，１０が外側に開こうとする力が規制部２１，２１よって規制される。したがって、爪１０，１０がキャップ２０の小開口部２４から突出すると同時に規制部２１，２１による規制が開放され、爪１０，１０が小開口部２４側の端部２５に係止される。それと同時に大開口部２３側の端部２６が鍔部４，１２に当接し、各アーム５，８の挿入が規制される。よって、キャップ２０が爪１０，１０と鍔部４，１２との間で固定され、紐止め具本体１に係止される。
【００４２】
ここで、図４（ａ），（ｂ）に示すように紐３０の端部３１，３１を紐止め具本体１に係止する。
まず、紐３０の端部３１，３１を紐止め具本体１の裏１７側から表１８側に支持部１５，１６と連結部７との間を通して保持する。次に、紐３０のループ３２側を各アーム５，８の基部３，１１の開いた鍔部４，１２の間を通して支持部１５，１６の裏１７側から表１８側に、巻き付けるように掛け渡して折り返す。
さらに、そのままループ３２側を引っ張って、図５（ｂ）に示すように、保持しておいた紐３０の端部３１，３１が連結部７に載置され、各アーム５，８間に収まるように調整する。
【００４３】
次いで、図５（ａ），（ｂ）に示すように、第一のアーム５と第二のアーム８の基部３，１１を閉じ合わせ、フラップ１３の先端部１３ａをフック２の内側に押し込んで先端部２ａに形成された段部１４に係止させる。各アーム５，８が閉じ合わされ、フラップ１３がフック２へ係止されることにより、基部３，１１の間に設けられた挟持部１９も閉じ合わされて、支持部１５，１６に巻き掛けられた紐３０を両方向から挟み込んで固定する。よって、フラップ１３をフック２へ係止する動作と紐３０を挟持部１９に挟み込む動作をワンアクションで行うことができる。
このとき、各アーム５，８の基部３，１１には連結部７と各アーム５，８の弾性力によって外側に開こうとする力が生じるが、フラップ１３の先端部１３ａをフック２の先端部２ａの内側の段部１４に係止することによって各アーム５，８の基部３，１１及び鍔部４，１２が閉じあわされた状態を維持することができる。
【００４４】
この状態で、紐３０のループ３２側を通した筒状のキャップ２０に各アーム５，８を挿入し、紐止め具本体１にキャップ２０を係止する。
各アーム５，８をキャップ２０に挿入することにより、支持部１５，１６の裏１７側と表１８側に掛け渡した紐３０が、押圧部２２，２２によって支持部１５の裏１７側と支持部１６の表１８側に押し付けられて固定される。同時に、キャップ２０と各アーム５，８のテーパ形状により紐３０の端部３１と支持部１５，１６を経て折り返されたループ３２側とが重なり合って押圧部２２によって連結部７に押圧され挟み付けられて固定される。また、爪１０，１０がキャップ２０の小開口部２４から突出してキャップ２０に係止されると同時に大開口部２３が鍔部４，１２に当接し、キャップ２０が爪１０，１０と鍔部４，１２の間で固定される。
【００４５】
これにより、図１（ａ），（ｂ）に示すように、紐止め具本体１にキャップ２０を係止して紐３０の端部３１を紐止め具本体１に固定した状態となる。キャップ２０を紐止め具本体１に係止したことにより、キャップ２０の内周面の規制部２１、２１によって各アーム５，８の基部３，１１の開きが規制されるので、常に挟持部１９が閉じて紐３０を両方向から挟み込んで固定した状態が維持される。同時に、キャップ２０の押圧部２２，２２が紐３０を支持部１５，１６の裏１７側と表１８側及び連結部７の表１８側に押圧し挟み付けて固定した状態が維持される。
【００４６】
また、フラップ１３はアーム５，８の基部３，１１が閉じあわされた状態でも、フック２の内側の段部１４よりも外側に開くように成型されているので、キャップ２０を紐止め具本体１に係止した後も、その弾性力によってフック２の段部１４に係止されている。すなわち、フラップ１３の先端部１３ａをその弾性力に抗してフック２の内側に押し込むことで、フック２の段部１４とフラップ１３の先端部１３ａとの係合が外れ、フック２を開くことができる。また、フラップ１３を押し込んだ力を取り除けば、その弾性力によって再びフラップ１３の先端部１３ａがフック２の段部１４に係止される。よって、フック２は常に開閉可能となっている。
【００４７】
上記の構成によれば、紐３０を紐止め具に係止する作業が、紐３０を支持部１５，１６の裏１７側と表１８側に掛け渡し、フラップ１３を閉じて紐３０を挟持部１９に挟み込み、キャップ２０を紐止め具本体１に係止するだけでよい。よって、たとえ柔軟で断面積の小さい強靭な紐３０であっても、カシメ付けをしたり端部３１に結び目を作ったりすることなく、紐３０の端部３１を紐止め具に極めて容易に係止することができる。
【００４８】
また、各支持部１５，１６は互いに向かい合いすれ違うように、各アーム５，８の厚み方向にずれた状態で突設されているため、各アーム５，８を少しでも閉じ合わせれば、先端１５ａ，１６ａが互いに重なりあって隙間がなくなる。したがって、紐３０を支持部１５，１６の裏１７側と表１８側に巻きつけるように掛け渡すときに、紐３０が支持部１５，１６の先端１５ａ，１６ａの隙間に入って外れ、挟持部１９間に挟持できなくなることを防止できる。よって、紐３０を支持部１５，１６の裏１７側と表１８側に掛け渡す作業が容易になり、紐３０の端部３１を紐止め具により容易に係止することができる。
【００４９】
また、キャップ２０に各アーム５，８を挿入するときに、紐３０が挟持部１９によって両方向から挟み込まれているため、紐３０が散けキャップ２０に各アーム５，８を挿入しづらくなることを防止できる。さらに、紐３０の端部３１をループ３２側で連結部７に押さえ付けておくことができ、紐３０の端部３１も散けることがないので、キャップ２０を紐止め具本体１に容易に係止させることができる。よって、紐３０の端部３１を紐止め具により容易に係止することができる。
【００５０】
また、キャップ２０と各アーム５，８をテーパ状に形成したことで、各アーム５，８をキャップ２０に挿入するときに、各アーム５，８の先端６，９と大開口部２３との間に逃げができ、各アーム５，８を容易にキャップ２０へ挿入することができるので、キャップ２０を紐止め具本体１に容易に係止させることができる。よって、紐３０の端部３１を紐止め具により容易に係止することができる。
また、キャップ２０と各アーム５，８のテーパ形状によって、各アーム５，８のキャップ２０への挿入に伴って、キャップ２０内周面の押圧部２２，２２と支持部１５，１６との間隔ｄ４，ｄ４及び連結部７との間隔ｄ５が徐々に狭まり、紐３０は徐々に強く挟み付けられていく。したがって、キャップ２０の装着が容易になると同時に、紐３０をより確実に挟み付けて固定することができる。
【００５１】
また、紐３０のループ３２側に引き抜き方向の力が働いたときには、この力に抗する十分な摩擦力が以下の作用によって紐３０に働く。すなわち、第一にキャップの押圧部２２，２２と紐止め具本体１の支持部１５，１６の裏１７側及び表１８側との間の押圧、第二に挟持部１９での両方向からの挟み込み、第三に支持部１５，１６の裏１７側と表１８側に掛け渡された紐３０の支持部１５，１６周囲に対する巻き締め、そして第四にキャップ２０の押圧部２２と連結部７との間の押圧による摩擦力である。したがって、引き抜きの力が掛かっても紐３０が抜け落ちることがない。
【００５２】
また、第一のアーム５と第二のアーム８の基部側３，１１を閉じ合わせて挟持部１９を閉じ合わせたときに、２枚の舌片からなる支持部１５，１６が互いに重なり合うことで紐３０の引き抜き方向の力による荷重をバランスよく分散し、支持部１５，１６の強度を保つことができるだけでなく、紐３０が支持部１５，１６の端部１５ａ，１６ａの隙間に入って脱落することを防止できる。よって、紐３０を紐止め具に確実に係止することができる。
【００５３】
また、携行品（不図示）を携帯するときには、紐止め具本体１に係止した紐３０を携行品の一部に固定し、フラップ１３をフック２の内側に押し込んでフック２を開き、例えば、ストラップや衣服（不図示）の一部にフック２を通し、再びフラップ１３をフック２に係止してフック２を閉じる。これにより、紐止め具を介して携行品を、例えば、ストラップや衣服の一部に取り付けることができる。また、逆の手順によれば紐止め具を介して携行品を容易に取り外すことができる。よって、携行品を紐止め具を介して、例えば、ストラップや衣服の一部に着脱自在に取り付けて携帯することができる。
【００５４】
尚、この発明は上述した実施の形態に限られるものではなく、紐止め具に係止する紐は断面が円形でなくてもよく、リボンなどの細い布状のものでもよい。また、紐止め具本体及びキャップは樹脂製でなくてもよい。
また、上記の実施の形態では、あらかじめ各アームの基部を開いた状態で成型したものについて説明したが、各アームの基部を閉じた状態で成型してもよい。そして、フラップはフックを開閉可能に構成するものであれば、どこに設けてもよい。また、キャップを係止する爪はアームの先端でなくてもよく、キャップ側に設けてもよい。そして、鍔部はキャップの挿入を規制するものであれば鍔状でなくてもよい。
また、上記実施の形態における構成はこの発明の一例であり、該発明の要旨を逸脱しない範囲で種々の変更が可能であることはいうまでもない。
【図面の簡単な説明】
【００５５】
【図１】本発明の実施の形態における紐止め具を示し、（ａ）は正面図、（ｂ）は右側面図である。
【図２】本発明の実施の形態における紐止め具本体の成型時の形状を示し、（ａ）は正面図、（ｂ）は（ａ）のＡ−Ａ断面図である。
【図３】本発明の実施の形態における挟持部を閉じた状態の紐止め具本体とキャップを示し、（ａ）は正面図、（ｂ）は（ａ）のＢ−Ｂ断面図である。
【図４】本発明の実施の形態における紐止め具本体に紐の端部を係止する様子を示し、（ａ）は正面図、（ｂ）は（ａ）のＣ−Ｃ断面図である。
【図５】本発明の実施の形態における挟持部に紐を挟持した状態の紐止め具本体とキャップを示し、（ａ）は正面図、（ｂ）は（ａ）のＤ−Ｄ断面図である。
【符号の説明】
【００５６】
１    紐止め具本体
２    フック  
３    第一のアームの基部（フックの基部）
４    第一のアームの鍔部（鍔部）
５    第一のアーム
７    連結部
８    第二のアーム
１０  爪
１１  第二のアームの基部（フラップの基部）
１２  第二のアームの鍔部（鍔部）
１３  フラップ
１５  第一のアームの支持部（支持部）
１６  第二のアームの支持部（支持部）
１９  挟持部
２０  キャップ
２１  規制部
２２  押圧部
３０  紐
３１  端部
３２  ループ
【図１】
2008000335.tif 000003
【図２】
2008000335.tif 000004
【図３】
2008000335.tif 000005
【図４】
2008000335.tif 000006
【図５】
2008000335.tif 000007